(57)【要約】【課題】携帯用のガスバーナーで各種の麺類を本格的に茹でることが可能な携帯用ゆで麺機を提供する。【解決手段】麺ゆで用の鍋本体１０と、該鍋本体１０の周囲に配置する保温筒体２０とを設ける。鍋本体１０を支持する載置台３０を設ける。鍋本体１０の下に設置する載置台３０を設ける。保温筒体２０の内周面に沿って蓄熱コイル２１を装着する。該蓄熱コイル２１を鍋本体１０の外側面と保温筒体２０の内周面とから離れた位置に設置する。蓄熱コイル２１で鍋本体１０を巻き込むように設置する。【選択図】  図２
2018075212.tif 000002
【特許請求の範囲】
【請求項１】
麺ゆで用の鍋本体と、該鍋本体の周囲に配置する保温筒体と、鍋本体を支持すると共に、鍋本体の下に設置される携帯用ガスバーナーの設置スペースを確保する載置台とで構成される携帯用ゆで麺機であって、保温筒体の内周面に沿って蓄熱コイルを装着し、該蓄熱コイルが鍋本体の外側面と保温筒体の内側面とから離れた位置で鍋本体を巻き込むように設置され、携帯用ガスバーナーの火力で鍋本体と共に該蓄熱コイルを直接加熱するように構成したことを特徴とする携帯用ゆで麺機。
【請求項２】
前記蓄熱コイルは金属製の丸棒材が螺旋状に巻き上げられ、該蓄熱コイルの一部が前記保温筒体の内側面に固定されると共に、該固定部以外の蓄熱コイルが前記鍋本体の外側面と前記保温筒体の内側面とから離れた位置に設置されるように構成した請求項１記載の携帯用ゆで麺機。
【請求項３】
前記保温筒体は、前記載置台の上に被せて載置する鍔状を成した載置部と、該載置部から上方に延長され前記鍋本体の外周面を囲む壁面部と、該壁面部の上部に開穿された複数個の排気口と、前記鍋本体を巻き込むように設置した前記蓄熱コイルとを備えた請求項１または２記載の携帯用ゆで麺機。
【請求項４】
前記鍋本体は、前記保温筒体の内部に挿入する有底筒状の鍋部と、該鍋部の底部の外側下面に溶接された金属製の蓄熱部と、鍋部の上端に形成され前記保温筒体の上端部に係止する鍔状の係止部とを備えた請求項１記載の携帯用ゆで麺機。
【請求項５】
前記載置台は、平面略Ｃ字形状を成した基盤と、該基盤に立設する複数の支柱と、該支柱の上端部に連結された平面円形状を成した載置部とを備え、基盤の解放端部から載置台内部に前記携帯用ガスバーナーをスライド移動させるように構成した請求項１記載の携帯用ゆで麺機。
【発明の詳細な説明】
【技術分野】
【０００１】
本発明は、例えばケータリングやキャンプ場等で、携帯用のガスバーナーを使用して各種の麺類を本格的に茹でることが可能な携帯用ゆで麺機に関するものである。
【背景技術】
【０００２】
ケータリングは顧客の指定先に出向いて食事を提供する業務である。特に、ラーメンやパスタ等の麺類を指定先やキャンプ場などの屋外などで調理する場合は、市販されている携帯用のガスバーナーを使用して麺類を茹でることがある。
【０００３】
一方、業務用のゆで麺機として使用する加熱調理機が特許文献１に記載されている。この加熱調理機は、鍋本体となる湯槽の外周壁に、フィンを旋回するように設けることで、鍋本体の加熱効率を高めるようとするものである。すなわち、ガスバーナーによる火炎や燃焼ガスが、湯槽外周壁のフィンによって旋回上昇すると、加熱効率が良くなり、湯槽内の湯の沸騰が早く、麺の良好な茹で上りが保証されるというものである。
【０００４】
また、特許文献２に記載のゆで麺機は、鍋本体の周囲に円環状の余熱タンクを装着し、該余熱タンクの内周面にコルゲートフィンを設けたものである。このコルゲートフィンを余熱タンクの内周面に配設することで、ガスバーナーの排気ガスの熱を吸収し、余熱タンクの内部に貯めた水又は湯への熱交換を行うものである。
【先行技術文献】
【特許文献】
【０００５】
【特許文献１】特許第３９９０９３０号公報
【特許文献２】特開２０１１−１９４００７号公報
【発明の概要】
【発明が解決しようとする課題】
【０００６】
ところが、特許文献１では、フィンによる旋回を促進するために、火炎を炎口から斜め上方に旋回状に噴出させる、所謂、旋回流ガスバーナーを使用するものである。この旋回流ガスバーナーは、燃料と空気を別々に燃焼器に送り，燃焼器内で主として渦による混合を行わせながら燃焼を進行させる型式のもので、工場などで多く用いられるバーナーである。そのため、特許文献１のゆで麺機は、厨房で加熱効率を高めることが可能でも、市販されている携帯用のガスバーナーを使用し、屋外等で鍋本体の加熱効率を高めることは想定されていない。
【０００７】
一方、特許文献２に記載のゆで麺機は、鍋本体の周囲に円環状の余熱タンクを装着して鍋本体を保温する構成を採用している。このような保温構成は、ゆで麺機を屋外で使用する場合に好ましい構成であるといえる。すなわち、鍋本体が直接外気に触れると鍋本体の温度が急激に低下するおそれがある。そこで、余熱タンクで鍋本体を保温すると外気温の影響を受け難くすることができるので携帯用のゆで麺機として好適である。
【０００８】
ところが、特許文献２の余熱タンクは、まず、余熱タンク内の貯留水を保温可能な温度まで高める必要がある。そのため、余熱タンクの温度が上昇するまでに多くの時間を要する不都合がある。しかも、余熱タンクの温度が十分に高まっていないと、鍋本体の側面から加熱するといった補助的効果も期待することはできない。したがって、貯留水を長時間加熱しなければならない余熱タンクは、携帯用のガスバーナーを使用して麺を効率良く茹でる場合に不都合が生じる。
【０００９】
このように、従来のゆで麺機は、携帯用のガスバーナーを使用して麺を効率良く茹でることが極めて困難であることから、各種麺類を本格的に茹でることが可能な携帯用のゆで麺機はこれまで提案されていなかった。
【００１０】
そこで本発明は、上述の課題を解消すべく創出されたもので、携帯用のガスバーナーを使用して各種の麺類を本格的に茹でることが可能な携帯用ゆで麺機の提供を目的とするものである。
【課題を解決するための手段】
【００１１】
上述の目的を達成すべく本発明における第１の手段は、麺ゆで用の鍋本体１０と、該鍋本体１０の周囲に配置する保温筒体２０と、鍋本体１０を支持すると共に、鍋本体１０の下に設置される携帯用ガスバーナーＰの設置スペースを確保する載置台３０とで構成される携帯用ゆで麺機であって、保温筒体２０の内側面に沿って蓄熱コイル２１を装着し、該蓄熱コイル２１が鍋本体１０の外側面と保温筒体２０の内側面とから離れた位置で鍋本体１０を巻き込むように設置され、携帯用ガスバーナーＰの火力で鍋本体１０と共に該蓄熱コイル２１を直接加熱するように構成したことにある。
【００１２】
第２の手段において、前記蓄熱コイル２１は金属製の丸棒材が螺旋状に巻き上げられ、該蓄熱コイル２１の一部が前記保温筒体２０の内側面に固定されると共に、該固定部以外の蓄熱コイル２１が前記鍋本体１０の外側面と前記保温筒体２０の内側面とから離れた位置に設置されるように構成したものである。
【００１３】
第３の手段において、前記保温筒体２０は、前記載置台３０の上に被せて載置する鍔状を成した載置部２２と、該載置部２２から上方に延長され前記鍋本体１０の外周面を囲む壁面部２３と、該壁面部２３の上部に開穿された複数個の排気口２４と、前記鍋本体１０を巻き込むように設置した前記蓄熱コイル２１とを備えている。
【００１４】
第４の手段の前記鍋本体１０は、前記保温筒体２０の内部に挿入する有底筒状の鍋部１１と、該鍋部１１の底部の外側下面に溶接された金属製の蓄熱部１２と、鍋部１１の上端に形成され前記保温筒体２０の上端部に係止する鍔状の係止部１３とを備えたものである。
【００１５】
第５の手段の前記載置台３０は、平面略Ｃ字形状を成した基盤３１と、該基盤３１に立設する複数の支柱３２と、該支柱３２の上端部に連結された平面円形状を成した載置部３３とを備え、基盤３１の解放端部から載置台３０内部に前記携帯用ガスバーナーＰをスライド移動させるように構成している。
【発明の効果】
【００１６】
本発明の請求項１によると、保温筒体２０の内側面に沿って蓄熱コイル２１を装着し、該蓄熱コイル２１が鍋本体１０の外側面と保温筒体２０の内側面とから離れた位置で鍋本体１０を巻き込むように設置して、携帯用ガスバーナーＰの火力で鍋本体１０と共に該蓄熱コイル２１を直接加熱するように構成したことにより、鍋本体１０内の湯を沸かし上げる際に、この蓄熱コイル２１を効率良く加熱することができる。
【００１７】
すなわち、加熱された蓄熱コイル２１は、鍋本体１０の外側面と保温筒体２０の内側面とから離れた位置で鍋本体１０を巻き込むように設置しているので、高温ガスの流動通路を確保し、昇温がスムーズになるだけでなく、鍋本体１０を側面から加熱することができる。したがって、鍋本体１０に与える熱効率を高め、使用するガスの消費を抑えることが可能になる。この結果、携帯用ガスバーナーＰを使用して短時間で麺を茹で上げることが可能になり、ケータリングやキャンプ場など、厨房以外での使用を可能にしたものである。
【００１８】
しかも、請求項２のように、蓄熱コイル２１は金属製の丸棒材が螺旋状に巻き上げられ、該蓄熱コイル２１の上端部と下端部とが保温筒体２０の内側面に固定されると共に、該固定部以外の蓄熱コイル２１は鍋本体１０の外側面と保温筒体２０の内側面とから離れた位置に設置されるように構成したものであるから、鍋本体１０を有効に保温する効果も有する。
【００１９】
すなわち、蓄熱コイル２１は保温筒体２０の内周面から離れた位置に設置されているので、蓄熱コイル２１の熱が保温筒体２０に伝導し難くなっている。そのため、仮に保温筒体２０が外気に触れて急激な温度低下が生じたとしても、蓄熱コイル２１の温度低下を抑制する。したがって、屋外で使用する場合でも鍋本体１０を極めて効率良く保温することができる。
【００２０】
また、請求項３によると、保温筒体２０は、載置台３０の上に被せて載置する鍔状を成した載置部２２と、鍋本体１０の外周面を囲む壁面部２３と、該壁面部２３の上部に開穿された複数個の排気口２４と、鍋本体１０を巻き込むように設置される蓄熱コイル２１とを備えているので、保温筒体２０の構成が簡素化し、携帯に都合が良く、しかも、保温筒体２０の設置や撤去が極めて容易になる。
【００２１】
更に、請求項４のごとく、鍋本体１０は、有底筒状の鍋部１１と、該鍋部１１の底部の外側下面に溶接された金属製の蓄熱部１２と、鍋部１１の上端に形成され保温筒体２０の上端部に係止する鍔状の係止部１３とを備えたものであるから、湯切り用の振りザル等を使用することが可能になり、ぬめりの無い本格的な麺を提供することが可能になる。
【００２２】
請求項５によると、シンプルな構成で鍋本体１０や保温筒体２０を安定した状態で支持することができ、しかも、携帯用ガスバーナーＰの設置や携帯に好適である。
【００２３】
このように本発明によると、携帯用のガスバーナーで各種の麺類を本格的に茹でることが可能になるなどといった当初の目的を達成した。
【図面の簡単な説明】
【００２４】
【図１】本発明の一実施例を示す分解斜視図である。
【図２】本発明の一実施例を示す縦断面図である。
【図３】本発明の蓄熱コイルを示す要部断面図である。
【図４】本発明の載置台を示す使用状態の斜視図である。
【発明を実施するための形態】
【００２５】
本発明は、携帯用ガスバーナーＰの火力で加熱する携帯用ゆで麺機であり、基本構成として、鍋本体１０、保温筒体２０、載置台３０にて構成されている（図１参照）。
【００２６】
鍋本体１０は、麺ゆで用に構成したもので、後述する保温筒体２０の内部に挿入する鍋部１１を備えている。この鍋部１１は、湯切り用の振りザル等の使用が可能な有底筒状に形成している。更に鍋部１１の底部には蓄熱部１２を設けている。
【００２７】
図示の蓄熱部１２は、金属製の棒状を成し、底部の外側下面に略井桁状に溶接されており、携帯用ガスバーナーＰの熱を蓄熱部１２に蓄えて鍋部１１を効率良く加熱し、保温する。この蓄熱部１２の形状や材質は任意に変更することができる。更に、鍋部１１の上端に鍔状の係止部１３を形成している。この係止部１３は、保温筒体２０の上端部に係止する部位である。
【００２８】
保温筒体２０は、鍋本体１０の周囲に配置する筒状の部材である。この保温筒体２０には、蓄熱コイル２１、載置部２２、壁面部２３、排気口２４が設けられている（図１参照）。
【００２９】
蓄熱コイル２１は、保温筒体２０の内周面に沿って装着したコイル状部材である（図２参照）。この蓄熱コイル２１は鍋本体１０の外側面と保温筒体２０の内側面とから離れた位置で鍋本体１０を巻き込むように設置している。そして、携帯用ガスバーナーＰで鍋本体１０加熱すると、蓄熱コイル２１も携帯用ガスバーナーＰから上昇する熱で直接加熱されるように構成したものである。
【００３０】
図示の蓄熱コイル２１は、金属製の丸棒材が螺旋状に巻き上げられ、蓄熱コイル２１の一部が前記保温筒体２０の内側面に固定される。このとき固定手段は、例えば蓄熱コイル２１の上端部と下端部とを保温筒体２０の内側面に溶着して固定する手段や、ボルト、ナット等を使用した他の固定手段など、任意の固定手段を選択することができる（図示せず）。そして、固定部以外の蓄熱コイル２１は、鍋本体１０の外側面と保温筒体２０の内周面とから離れた位置に設置されている（図３参照）。
【００３１】
実験によると、湯切り用の振りザル等の使用が可能な鍋本体１０を囲む保温筒体２０に蓄熱コイル２１を巻き付ける場合、コイル径を１０mmとし、保温筒体２０の壁面部２３内側と蓄熱コイル２１との間隙を２mm、鍋本体１０の鍋部１１外側と蓄熱コイル２１との間隙を３mmに設定し、コイルピッチを２５mmにして設置したときに、蓄熱コイル２１の余熱は外気温に拘わらず１〜２分持続することが分かった。この蓄熱コイル２１は、鍋本体１０を保温するのみならず、加熱された蓄熱コイル２１が鍋本体１０の側面を加熱するので、湯を沸かし上げる時間を短縮すると共に、鍋本体１０を効率良く保温することも可能になる。
【００３２】
載置部２２は、載置台３０の上に被せて載置する鍔状を成した部位である（図２参照）。壁面部２３は、載置部２２から上方に延長され鍋本体１０の外周面を囲む筒状部位で、この壁面部２３の上部に複数個の排気口２４を開穿している（図１参照）。
【００３３】
載置台３０は、鍋本体１０を支持すると共に、鍋本体１０の下に設置される携帯用ガスバーナーＰの設置スペースを確保する支持部材である（図１参照）。図示の載置台３０は、平面略Ｃ字形状を成した基盤３１と、該基盤３１に立設する複数の支柱３２と、該支柱３２の上端部に連結された平面円形状を成した載置部３３とを備えている。そして、基盤３１の解放端部から載置台３０内部に前記携帯用ガスバーナーＰをスライド移動させるように構成したものである（図４参照）。
【００３４】
この携帯用ガスバーナーＰは携帯用ガスボンベＱを使用するものであるから、携帯用のガスコンロなどの使用も可能である。また、載置台３０の形状も使用する携帯用ガスバーナーＰによって任意に変更することが可能である。
【００３５】
本発明の鍋本体１０、保温筒体２０、載置台３０の構成等は図示例に限定されるものではなく、本発明の要旨を変更しない範囲で自由に設計変更できるものである。
【符号の説明】
【００３６】
Ｐ  携帯用ガスバーナー
Ｑ  携帯用ガスボンベ
１０  鍋本体
１１  鍋部
１２  蓄熱部
１３  係止部
２０  保温筒体
２１  蓄熱コイル
２２  載置部
２３  壁面部
２４  排気口
３０  載置台
３１  基盤
３２  支柱
３３  載置部
【図１】
2018075212.tif 000003
【図２】
2018075212.tif 000004
【図３】
2018075212.tif 000005
【図４】
2018075212.tif 000006
【手続補正書】
【提出日】平成29年4月21日(2017.4.21)
【手続補正１】
【補正対象書類名】特許請求の範囲
【補正対象項目名】全文
【補正方法】変更
【補正の内容】
【特許請求の範囲】
【請求項１】
麺ゆで用の鍋本体と、該鍋本体の周囲に配置する保温筒体と、鍋本体を支持すると共に、鍋本体の下に設置される携帯用ガスバーナーの設置スペースを確保する載置台とで構成される携帯用ゆで麺機であって、保温筒体の内周面に沿って蓄熱コイルを装着し、
該蓄熱コイルは金属製の丸棒材が螺旋状に巻き上げられ、該蓄熱コイルの一部が前記保温筒体の内側面に固定されると共に、該固定部以外の蓄熱コイルが鍋本体の外側面と保温筒体の内側面とから離れた位置で鍋本体を巻き込むように設置され、携帯用ガスバーナーの火力で鍋本体と共に該蓄熱コイルを直接加熱するように構成したことを特徴とする携帯用ゆで麺機。
【請求項２】
前記保温筒体は、前記載置台の上に被せて載置する鍔状を成した載置部と、該載置部から上方に延長され前記鍋本体の外周面を囲む壁面部と、該壁面部の上部に開穿された複数個の排気口と、前記鍋本体を巻き込むように設置した前記蓄熱コイルとを備えた請求項１記載の携帯用ゆで麺機。
【請求項３】
前記鍋本体は、前記保温筒体の内部に挿入する有底筒状の鍋部と、該鍋部の底部の外側下面に溶接された金属製の蓄熱部と、鍋部の上端に形成され前記保温筒体の上端部に係止する鍔状の係止部とを備えた請求項１記載の携帯用ゆで麺機。
【請求項４】
前記載置台は、平面略Ｃ字形状を成した基盤と、該基盤に立設する複数の支柱と、該支柱の上端部に連結された平面円形状を成した載置部とを備え、基盤の解放端部から載置台内部に前記携帯用ガスバーナーをスライド移動させるように構成した請求項１記載の携帯用ゆで麺機。
【手続補正２】
【補正対象書類名】明細書
【補正対象項目名】００１１
【補正方法】変更
【補正の内容】
【００１１】
上述の目的を達成すべく本発明における第１の手段は、麺ゆで用の鍋本体１０と、該鍋本体１０の周囲に配置する保温筒体２０と、鍋本体１０を支持すると共に、鍋本体１０の下に設置される携帯用ガスバーナーＰの設置スペースを確保する載置台３０とで構成される携帯用ゆで麺機であって、保温筒体２０の内側面に沿って蓄熱コイル２１を装着し、該蓄熱コイル２１は金属製の丸棒材が螺旋状に巻き上げられ、該蓄熱コイル２１の一部が保温筒体２０の内側面に固定されると共に、該固定部以外の蓄熱コイル２１が鍋本体１０の外側面と保温筒体２０の内側面とから離れた位置で鍋本体１０を巻き込むように設置され、携帯用ガスバーナーＰの火力で鍋本体１０と共に該蓄熱コイル２１を直接加熱するように構成したことにある。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
第２の手段において、前記保温筒体２０は、前記載置台３０の上に被せて載置する鍔状を成した載置部２２と、該載置部２２から上方に延長され前記鍋本体１０の外周面を囲む壁面部２３と、該壁面部２３の上部に開穿された複数個の排気口２４と、前記鍋本体１０を巻き込むように設置した前記蓄熱コイル２１とを備えている。
【手続補正５】
【補正対象書類名】明細書
【補正対象項目名】００１４
【補正方法】変更
【補正の内容】
【００１４】
第３の手段の前記鍋本体１０は、前記保温筒体２０の内部に挿入する有底筒状の鍋部１１と、該鍋部１１の底部の外側下面に溶接された金属製の蓄熱部１２と、鍋部１１の上端に形成され前記保温筒体２０の上端部に係止する鍔状の係止部１３とを備えたものである。
【手続補正６】
【補正対象書類名】明細書
【補正対象項目名】００１５
【補正方法】変更
【補正の内容】
【００１５】
第４の手段の前記載置台３０は、平面略Ｃ字形状を成した基盤３１と、該基盤３１に立設する複数の支柱３２と、該支柱３２の上端部に連結された平面円形状を成した載置部３３とを備え、基盤３１の解放端部から載置台３０内部に前記携帯用ガスバーナーＰをスライド移動させるように構成している。
【手続補正７】
【補正対象書類名】明細書
【補正対象項目名】００１８
【補正方法】変更
【補正の内容】
【００１８】
しかも、蓄熱コイル２１は金属製の丸棒材が螺旋状に巻き上げられ、該蓄熱コイル２１の上端部と下端部とが保温筒体２０の内側面に固定されると共に、該固定部以外の蓄熱コイル２１は鍋本体１０の外側面と保温筒体２０の内側面とから離れた位置に設置されるように構成したものであるから、鍋本体１０を有効に保温する効果も有する。
【手続補正８】
【補正対象書類名】明細書
【補正対象項目名】００２０
【補正方法】変更
【補正の内容】
【００２０】
また、請求項２によると、保温筒体２０は、載置台３０の上に被せて載置する鍔状を成した載置部２２と、鍋本体１０の外周面を囲む壁面部２３と、該壁面部２３の上部に開穿された複数個の排気口２４と、鍋本体１０を巻き込むように設置される蓄熱コイル２１とを備えているので、保温筒体２０の構成が簡素化し、携帯に都合が良く、しかも、保温筒体２０の設置や撤去が極めて容易になる。
【手続補正９】
【補正対象書類名】明細書
【補正対象項目名】００２１
【補正方法】変更
【補正の内容】
【００２１】
更に、請求項３のごとく、鍋本体１０は、有底筒状の鍋部１１と、該鍋部１１の底部の外側下面に溶接された金属製の蓄熱部１２と、鍋部１１の上端に形成され保温筒体２０の上端部に係止する鍔状の係止部１３とを備えたものであるから、湯切り用の振りザル等を使用することが可能になり、ぬめりの無い本格的な麺を提供することが可能になる。
【手続補正１０】
【補正対象書類名】明細書
【補正対象項目名】００２２
【補正方法】変更
【補正の内容】
【００２２】
請求項４によると、シンプルな構成で鍋本体１０や保温筒体２０を安定した状態で支持することができ、しかも、携帯用ガスバーナーＰの設置や携帯に好適である。